(57)【要約】      （修正有）【課題】花粉や塵埃、異物を侵入させないことを目的とした、外観を損なわずに鼻孔内にて楽にフィットする鼻部のみに使用するマスクの構成を提供する。【解決手段】鼻マスク１は、開口部が形成された底部２側の径が使用者の鼻孔の入口付近の径より大きい先細中空で構成された鼻孔に導入しやすい円錐形状あるいは先端部分球形状をした通気性や圧縮変形性を有するコットン素材３で形成されている。【選択図】図１
0003132304.tif 000002
【実用新案登録請求の範囲】
【請求項１】
開口部が形成された底部側の径が使用者の鼻孔の入口付近の径より大きい先細中空形状をし、通気性および圧縮変形性を有する素材で形成された
鼻マスク。
【請求項２】
略円錐形状あるいは先端部分球形状をした請求項１に記載の鼻マスク。
【請求項３】
前記素材は、コットンである
請求項１または請求項２に記載の鼻マスク。
【請求項４】
前記コットンは、肌色で着色されている
請求項３に記載の鼻マスク。
【考案の詳細な説明】
【技術分野】
【０００１】
本考案は、花粉や塵埃、異物が鼻腔に侵入させないことを目的としたマスクに関する。
【背景技術】
【０００２】
従来マスクは口及び鼻部をカバーし、かつゴム等の弾力伸縮性を有するＵ字型の紐を耳に掛けて着用している。
【特許文献１】特開２００７−２１１５６号公報
【考案の開示】
【考案が解決しようとする課題】
【０００３】
しかしながら、このような従来のマスクでは耳に掛ける紐が、口及び鼻周辺を押圧し、不快感が生ずると共に、使用者の外観を損ねる。
【０００４】
本考案は、上述した従来技術によるマスクの欠点を克服し、鼻部のみにおいて使用できるマスクの構成を提供することを課題とするものである。
【課題を解決するための手段】
【０００５】
上述した従来技術の問題点を解決し、上述した目的を達成するために、本考案の鼻マスクは、開口部が形成された底部側の径が使用者の鼻孔の入口付近の径より大きい先細中空形状をし、通気性および圧縮変形性を有する素材で形成されている。
本考案の鼻マスクは、２つの鼻孔にそれぞれ一つずつ圧縮変形性により変形された状態で挿入され、元の形状に復元することで、鼻孔内で安定した状態で保持される。
【０００６】
また、好適には、本考案の鼻マスクは、略円錐形状あるいは先端部分球形状をしている。
【０００７】
また、好適には、本考案の鼻マスクの前記素材は、コットンである。さらに好適には、当該コットンは肌色に着色されている。
【考案の効果】
【０００８】
本考案によれば、圧縮変形性を有し、鼻孔入口より底部がやや大きい径を有する形状のため、一度鼻内に挿入されると落脱されにくい。
また、本考案によれば、圧縮変形性により、弾力性や柔軟性が生じ、鼻腔内部粘膜を保護しつつ、鼻内に適切にフィットすることができる。
また、本考案によれば、肌色に着色されたコットンを用いることで、装着していることを外観から判別し難くでき、ファッション性に優れている。
【考案を実施するための最良の形態】
【０００９】
以下、本考案の実施形態に係る鼻マスクを、図面を参照しながら説明する。
＜第１実施形態＞
図１は、本考案の第１実施形態に係わる鼻マスク１の全体を示す外観図である。
図１に示すように、鼻マスク１は鼻孔に挿入しやすい円錐形状である。その底部２には開口部５が形成されている。
底部２の直径は鼻孔入口より若干長く形成されており、鼻マスク１内の開口部５に連通する内部は中空部４を形成する。
鼻マスク１では、このように内部に中空部４を有するため、内部全体に素材を充填した場合に比べて、通気性を良くすることができる。
【００１０】
鼻マスク１の素材は、例えば、綿ガーゼで構成されており、柔軟性および圧縮変形性（復元性）を有する。そのため、装着時に、傷つきやすい鼻腔内部粘膜を保護しながら、使用者（成人）の鼻腔の大きさに合わせて、適度にフィットするように自在に広がる。
また、目的である花粉やホコリの侵入防止、および楽に呼吸ができちょうどよい中細糸の織物から構成されている。また、鼻汁の吸水および速乾性としての機能も有する。
【００１１】
鼻マスク１の素材である上記コットンは、例えば、鼻腔内部と同色の肌色であり、装着していることを目立たせないファッション性も有する。
【００１２】
図２は、図１に示す鼻マスク１の使用形態を説明するための図である。
図２に示すように、ユーザは、鼻マスク１の底部２を手指２本でそっと持ちながら鼻孔入口の大きさに縮める（７）。
次に、ユーザが鼻孔６の入口に鼻マスク１の先細側を挿入しながら、変形させた状態で軽く押し込むと、鼻腔内部で元の形状に復元して自然にフィットする。
これにより、鼻マスク１が鼻腔内に安定した状態で装着される。
そして、ユーザは、同様に、片方の鼻孔へ、他の鼻マスク１を装着する。
【００１３】
図３は、図１に示す販売形態を説明している。
図３に示すように、鼻マスク１は透明のアクリル製ボトル型ケース９内に重ねて収容されている。
このようにすることで、外部から、鼻マスク１が見え、購買意欲に訴求する。ケース９上部はプラスティック製のキャップ１０で封じられており、異物が侵入しないような形状となっている。
【００１４】
アクリル製ボトル型ケース９の表面にはラベルシール１１が糊付けされており、商標とその用具を説明する簡単な文言を記載し、販売を促進する。
また、アクリル製ボトル型ケース９をポリプロピレン製透明袋１２に封入し、上部は紙製ラベル１３で蓋をする。紙製ラベルの中央上部には穴１４が開いており、販売においてフック掛けできるようになっている。
【００１５】
以上説明したように、鼻マスク１によれば、ファッション性を損なうことなく、安定した状態で鼻内に装着でき、花粉やホコリ等の鼻内への進入を効果的に抑制できる。
【００１６】
＜第２実施形態＞
図４は、鼻マスク１５の全体を示す外観図である。
図４に示すように、鼻マスク１５は、鼻孔に挿入しやすい先端丸型の変形円錐形状である。底部１６には開口部１７が形成されている。
底部１６の直径は鼻孔入口より若干長く形成されており、開口部に連通する内部は中空部１８を形成する。
鼻マスク１５では、鼻腔左右側面へ接する領域１９が大きいため、フィットしやすい形状となっており、脱落防止の機能が高い。
【００１７】
本考案は上述した実施形態には限定されない。
すなわち、当業者は、本考案の技術的範囲またはその均等の範囲内において、上述した実施形態の構成要素に関し、先端先細タイプ形状の変形や、通気性、圧縮変形性をもった別の素材などに代替を行ってもよい。
【産業上の利用可能性】
【００１８】
本考案は、例えば、マスク等に適用可能である。
【図面の簡単な説明】
【００１９】
【図１】図１は、本考案の第１実施形態に係わる鼻マスク外観図
【図２】図２は、図１に示す鼻マスク装着方法および装着時の状態を説明するための図
【図３】図３は、図１に示す鼻マスク販売形態を説明するための図である。
【図４】図４は、本考案の第２実施形態に係わる鼻マスク先端が丸型の円錐形状型外観図である。
【符号の説明】
【００２０】
１…円錐形状鼻マスク（成形物）
２…底部
３…綿ガーゼ素材
４…中空部
５…開口底部
６…装着時
７…装着向きの説明
８…販売形態
９…アクリル製ボトル型ケース
１０…プラスティック製キャップ
１１…商標明記用ラベル
１２…ポリプロピレン製透明袋
１３…紙製ラベル
１４…フック掛け用丸穴
１５…先端丸型変形円錐形状鼻マスク（成形物）
１６…底部
１７…開口底部
１８…中空部
１９…コットン素材
【図１】
0003132304.tif 000003
【図２】
0003132304.tif 000004
【図３】
0003132304.tif 000005
【図４】
0003132304.tif 000006